(57)【要約】【課題】本発明は、電子機器の小型化を実現できるスピーカモジュールを提供することを目的とするものである。【解決手段】スピーカモジュール１１は、発音体と集音体の少なくとも一方を有するスピーカユニット１と、このスピーカユニット１に一体結合したカメラユニット２とから構成されている。カメラユニット２は、スピーカユニットの筐体部であるフレーム８に結合されている。このスピーカモジュール１１を搭載することにより、電子機器の小型化を実現できる。【選択図】図１
2005151102.tif 000002
【特許請求の範囲】
【請求項１】
発音体若しくは集音体の少なくとも一方を有するスピーカユニットと、被写体の映像を電気的信号に変換するためのカメラユニットとを備え、前記スピーカユニットの所望の位置に前記カメラユニットを配設して一体化したことを特徴とするスピーカモジュール。
【請求項２】
スピーカユニットの外周部にフレームを設けると共に、前記フレームにカメラユニットを配設したことを特徴とする請求項１に記載のスピーカモジュール。
【請求項３】
スピーカユニットは、マグネットとヨークからなる磁気ギャップ間にボイスコイルが配設された内磁タイプの駆動部を有する発音体を備え、前記マグネットの上にカメラユニットを設けたことを特徴とする請求項１に記載のスピーカモジュール。
【請求項４】
スピーカユニットは透明な材料から構成された振動板を有する請求項３に記載のスピーカモジュール。
【請求項５】
駆動部は、マグネット上に上部プレートを有する駆動部であって、カメラユニットは、前記上部プレートに固定された請求項３に記載のスピーカモジュール。
【請求項６】
カメラユニットは、スピーカユニットの発音方向、若しくは集音方向とは反対側の背面部に、固定された請求項１に記載のスピーカモジュール。
【請求項７】
少なくともスピーカユニットの発音方向、若しくは集音方向とは反対側に位置するマグネットに、貫通孔を有することを特徴とする請求項１に記載のスピーカモジュール。
【請求項８】
駆動部は、マグネットとセンターポールを有する下部プレートとから構成される磁気回路と、前記マグネットの上部に配置した上部プレートからなる外磁タイプの駆動部であって、カメラユニットは、前記下部プレートに固定されたことを特徴とする請求項３に記載のスピーカモジュール。
【請求項９】
カメラユニットは、下部プレートのセンターポールとは反対側の背面部に固定されたことを特徴とする請求項８に記載のスピーカモジュール。
【請求項１０】
センターポールは、貫通孔を有することを特徴とする請求項８に記載のスピーカモジュール。
【請求項１１】
振動板は、その中央部にダストキャップを有し、前記ダストキャップは、透明な材料から構成されたことを特徴とする請求項８に記載のスピーカモジュール。
【請求項１２】
カメラユニットを複数個具備することを特徴とした請求項１から請求項１１のいずれか一つに記載のスピーカモジュール。
【請求項１３】
スピーカユニットを制御する第１の制御回路と、カメラユニットを制御する第２の制御回路とを、同一基板上に配置し、若しくは一体化して配置した請求項１から請求項１２のいずれか一つに記載のスピーカモジュール。
【請求項１４】
請求項１から請求項１３のいずれか一つのスピーカモジュールを搭載した電子機器。
【請求項１５】
電子機器は、その前面部にスピーカモジュールを保護するための保護板を有し、この保護板は、透明であることを特徴とする請求項１４に記載の電子機器。
【発明の詳細な説明】
【技術分野】
【０００１】
本発明は、スピーカモジュールと、それを用いた電子機器に関するものである。
【背景技術】
【０００２】
以下、従来のスピーカモジュールについて、図１６により説明する。
【０００３】
図１６は、従来のスピーカモジュールを用いた電子機器の断面図である。
【０００４】
図１６においては、電子機器の一例として、携帯電話１９を挙げており、この携帯電話１９は、外装ケース１８内の一部に搭載されたスピーカユニット１と、前記外装ケース１８内のスピーカユニット１外部分に搭載されたカメラユニット２とにより構成されている。
【０００５】
なお、本発明に関連する先行技術文献情報としては、例えば、特許文献１、特許文献２が知られている。
【特許文献１】特開２０００−２３６５９２号公報
【特許文献２】特開２００２−４４５００号公報
【発明の開示】
【発明が解決しようとする課題】
【０００６】
上記従来の構成では、例えば、携帯電話１９などの電子機器の小型化に限界があった。すなわち、従来、スピーカユニット１とカメラユニット２とは、別個に生産し、別々に携帯電話１９に配置することが一般的であったため、それぞれある一定の間隔を空けて配置されている。また、この両者を制御するために、スピーカユニット１を制御する第１の制御回路１６ａ、およびカメラユニット２を制御する第２の制御回路１６ｂというように、制御回路が２つ必要であった。この結果として、それぞれのユニットが小型化されていても、スピーカユニット１、カメラユニット２、第１の制御回路１６ａ、第２の制御回路１６ｂと、計４つの部品が存在し、電子機器の小型化に設計上対応できない。
【０００７】
そこで、本発明は、電子機器の小型化を実現できる優れたスピーカモジュールを提供することを目的とするものである。
【課題を解決するための手段】
【０００８】
そして、この目的を達成するために、本発明は以下の構成を有する。
【０００９】
本発明の請求項１に記載の発明は、発音体または集音体の少なくとも一方を有するスピーカユニットと、被写体の映像を電気的信号に変換するためのカメラユニットとを備え、前記スピーカユニットの所望の位置に前記カメラユニットを配設して一体化したことを特徴とする。
【００１０】
この構成により、電子機器の小型化を実現させることができる。すなわち、スピーカユニットと受像機能を有するカメラユニットを結合することによって、両ユニットの間隔をなくすことができ、部品点数の削減が図られ、電子機器等のシステム内搭載部品の相互配置を簡略化できる。したがって、電子機器の小型化を実現させることができる。
【００１１】
本発明の請求項２に記載の発明は、スピーカユニットの外周部にフレームを設けると共に、前記フレームにカメラユニットを配設することを特徴とする。この特徴により、電子機器の小型化を実現させることができる。すなわち、スピーカユニットに結合されたフレームと、カメラユニットに結合されたフレームとの共有化を図ることができる。したがって、電子機器の小型化を実現させることができる。
【００１２】
本発明の請求項３に記載の発明は、スピーカユニットが、マグネットとヨークからなる磁気ギャップ間にボイスコイルが配設された内磁タイプの駆動部を有する発音体を備え、前記マグネットの上にカメラユニットを設けたことを特徴とする。この特徴により、電子機器の小型化を実現させることができる。すなわち、カメラユニットを、スピーカユニット内部に搭載し、スピーカユニットの容積内に収めることができる。したがって、電子機器の小型化を実現させることができる。
【００１３】
本発明の請求項４に記載の発明は、スピーカユニットが、透明な材料から構成された振動板を有する点を特徴としている。この構成により、電子機器の小型化を実現させることができる。すなわち、カメラユニットが振動板の内部に配置することにより、スペースを有効利用することができ、電子機器の小型化を実現させることができる。また、内部にカメラユニットを設置しても、透明な振動板を通して外部の状態を受像できる。
【００１４】
本発明の請求項５に記載の発明は、駆動部が、マグネット上に上部プレートを有する駆動部であって、カメラユニットは、前記上部プレートに固定されている。この構成により、さらに電子機器の小型化を実現させることができる。すなわち、スピーカユニット内部にカメラユニットを収納させることができ、したがって、電子機器の小型化を実現させることができる。
【００１５】
本発明の請求項６に記載の発明は、カメラユニットが、スピーカユニットの発音方向、もしくは集音方向とは反対側の背面部に固定され構成されている。この構成により、さらに電子機器の小型化を実現させることができる。すなわち、スピーカユニットに結合されたフレームと、カメラユニットに結合されたフレームとを一体化し共用化を図ることで、電子機器の小型化を実現させることができる。
【００１６】
本発明の請求項７に記載の発明は、カメラユニットが、スピーカユニット内に配置されると共に、スピーカユニットの発音方向、若しくは集音方向とは反対側に位置するマグネットに、貫通孔を有する。この構成により、電子機器の小型化を実現させることができる。すなわち、カメラユニットは、スピーカユニットの容積内に収まる。この結果として、スピーカモジュールの小型化を図ることができ、これを搭載する電子機器の小型化をも実現させることができる。また、前記貫通孔を通して、スピーカユニット内に配置されたカメラユニットは、外部の状態を受像することができる。
【００１７】
本発明の請求項８に記載の発明は、駆動部が、マグネットとセンターポールを有する下部プレートとから構成される磁気ギャップを有する磁気回路と、前記磁気ギャップに配置されるボイスコイルと、前記マグネットの上部に配置した上部プレートからなる外磁タイプの駆動部であって、カメラユニットは、前記下部プレートのセンターポールに固定されて構成されている。この構成により、さらに電子機器の小型化を実現させることができる。すなわち、外磁タイプのスピーカユニットにおいても、スピーカユニット内部にカメラユニットを収納させ、小型の外磁タイプのスピーカモジュールを得ることができる。したがって、外磁タイプを用いる電子機器の小型化に資する。
【００１８】
本発明の請求項９に記載の発明は、カメラユニットは、下部プレートのセンターポールとは反対側の背面部に固定されて構成されている。この構成により、電子機器の性能を向上させることができる。すなわち、スピーカモジュールの発音方向とは反対側の方向を撮影可能とできる。この結果として、電子機器の性能を向上させることができる。また、外磁タイプにおいても、スピーカユニットに結合されたフレームと、カメラユニットに結合されたフレームとの共有化を図ることができる。
【００１９】
本発明の請求項１０に記載の発明は、センターポールは、貫通孔を有することにより、構成されている。この構成により、さらに電子機器の性能を向上させることができる。すなわち、下部プレートにおける前記貫通孔を通して、カメラユニットが、スピーカユニット内部にありながら、外部の状態を受像することができる。この結果として、さらに電子機器の性能を向上させることができる。
【００２０】
本発明の請求項１１に記載の発明は、振動板が、その中央部にダストキャップを有し、前記ダストキャップは、透明な材料から構成されている。この構成により、電子機器の性能を向上させることができる。すなわち、カメラユニットがダストキャップより内部に配置されても、透明なダストキャップを通して外部の状態を受像できるため、受像機能を果たすことができ、電子機器の性能を向上させることができる。
【００２１】
本発明の請求項１２に記載の発明は、カメラユニットを複数個具備することにより構成されている。この構成により、電子機器の性能を向上させることができる。すなわち、複数個のカメラユニットを具備することができ、複数方向を受像可能方向とすることができ、この結果として、電子機器の性能を向上させることができる。
【００２２】
本発明の請求項１３に記載の発明は、スピーカユニットを制御する第１の制御回路と、カメラユニットを制御する第２の制御回路とを、同一基板上に配置し、若しくは一体化して配置した請求項１から請求項１２のいずれかに記載のスピーカモジュールである。この構成により、さらにスピーカモジュールを小型化することができる。すなわち、スピーカユニットとカメラユニット、およびこれらを制御する二つの制御回路の計４つの部品を、スピーカモジュールと、これに対応する一つの制御回路との２つの部品にすることができるからである。この結果として、スピーカモジュールの小型化をさらに図ることができる。
【００２３】
本発明の請求項１４に記載の発明は、請求項１から請求項１３のいずれか一つのスピーカモジュールを搭載した電子機器である。この構成により、電子機器の小型化を実現させることができる。すなわち、電子機器において、発音機能または集音機能のみならず、受像機能をも実現させることが、小型のスピーカモジュールで達成され、さらに電子機器の小型化を実現させることができる。
【００２４】
本発明の請求項１５に記載の発明は、電子機器が、その前面部に、スピーカモジュールを保護するための保護板を有し、この保護板が透明であることを特徴とする請求項１４に記載の電子機器である。この構成により、電子機器の機能性を向上させることができる。すなわち、電子機器、例えばスピーカシステムにおいて、保護板をつけたままで、受像機能を実現させることができる。この結果として、電子機器の機能性を向上させることができる。
【発明の効果】
【００２５】
本発明のスピーカの効果は、さらに電子機器の小型化を実現する優れたスピーカモジュールを提供することである。すなわち、発音機能または集音機能を有するスピーカユニットと受像機能を有するカメラユニットを結合することによって、両ユニットの間隔をなくし、電子機器等のシステム内搭載部品の相互配置を簡略化できるのである。したがって、さらに電子機器の小型化を可能とする。
【発明を実施するための最良の形態】
【００２６】
（実施の形態１）
以下、実施の形態１を用いて、本発明の特に請求項１から請求項２、および請求項１３に記載の発明について説明する。
【００２７】
図１は、本発明の実施の形態１におけるスピーカモジュールの断面図である。
【００２８】
図１において、本発明のスピーカモジュール１１の特徴は、スピーカユニット１の所望の位置に、カメラユニット２を設けて一体化した点である。
【００２９】
このスピーカユニット１は、ボイスコイル１０がマグネット３とヨーク５から構成される磁気ギャップ７間に設けられた駆動部１ａと、この駆動部１ａの振動を受ける振動板１ｂとを有する。また、このカメラユニット２は、スピーカユニット１の外周部に設けられたフレーム８に取り付けられている。
【００３０】
この構成により、電子機器の小型化を実現させることができる。すなわち、発音機能もしくは集音機能を有するスピーカユニット１と、受像機能を有するカメラユニット２を結合することによって、両ユニットの間隔をなくし、電子機器等のシステム内搭載部品の相互配置を簡略化できる。したがって、電子機器の小型化を実現させることができる。
【００３１】
なお、図示していないが、スピーカユニット１を制御する第１の制御回路と、カメラユニット２を制御する制御回路とを、同一基板上に配置することもできる。
【００３２】
この構成により、さらにスピーカモジュール１１を小型化することができる。すなわち、スピーカユニット１とカメラユニット２、およびこれらを制御する第１、第２の制御回路という計４つの部品を、スピーカモジュール１１と、これに対応する一つの制御回路との２つの部品にすることができる。これは、以下の実施の形態のいずれにおいても、実施することができる。
【００３３】
（実施の形態２）
以下、実施の形態２を用いて、本発明の特に請求項３から請求項５に記載の発明について説明する。なお、以下、実施の形態１と同様の構成を有するものについては、同一符号を付しその説明を簡略化する。
【００３４】
図２は、本発明の実施の形態２におけるスピーカモジュールの断面図である。
【００３５】
図２において、実施の形態１と異なる点は、カメラユニット２が、スピーカユニット１を構成する磁気回路６の上部プレート４に結合されている点である。この場合、スピーカユニット１内に配置されたカメラユニット２が、外部の状態を受像できるように、振動板１ｂに貫通孔９を空けるか、請求項４に記載の発明のように、振動板１ｂを透明な材料で構成する。
【００３６】
この構成により、電子機器の小型化を実現させることができる。すなわち、カメラユニット２を、スピーカユニット１の容積内に収納することができ、省スペース化が図られ、小型のスピーカモジュール１１を提供することができ、このスピーカモジュール１１を用いた電子機器の小型化を図ることができる。さらに、付随的効果としては、スピーカユニット１に結合されたフレーム８と、カメラユニット２に結合された上部プレート４との一体共有化を図ることができ部品点数を減らす効果もある。
【００３７】
図３は、本発明の実施の形態２におけるスピーカモジュールの断面図である。
【００３８】
図３において、図２と異なる点は、カメラユニット２が、磁気回路６の上部プレート４を介在させずに、マグネット３に直接結合している点である。この場合、前記実施の形態２と同様に、カメラユニット２が外部の状態を受像できるように、振動板１ｂに貫通孔９を空けるか、請求項４に記載の発明のように、振動板１ｂを透明な材料で構成する。
【００３９】
この構成により、電子機器の小型化を実現させることができる。すなわち、図２における上部プレート４を排除することができ、その上部プレート４の厚さ分を薄くすることができ、また軽量化にも資する。したがって、スリム化が要求される最新の電子機器においてその利用価値は大きく、電子機器の小型化を図ることができる。
【００４０】
（実施の形態３）
以下、実施の形態３を用いて、本発明の特に請求項２に記載の発明について説明する。
【００４１】
図４は、本発明の実施の形態３におけるスピーカモジュールの断面図である。
【００４２】
図４において、実施の形態１と異なる点は、スピーカユニット１とカメラユニット２とが異なる平面上に配置され、立体的に結合されている点である。具体的には、図４に示すように、スピーカユニット１のフレーム８の外周部を折り曲げ、振動板１ｂの中心側に所望の距離だけ延長し、カメラユニット２をその延長部の上部に配置している。この場合、スピーカユニット１の外形寸法は、カメラユニット２の外形寸法より大きいことを特徴とし、少なくともカメラユニット２は、スピーカユニット１の振動板１ｂの範囲内に配置されている。
【００４３】
この構成により、スピーカモジュール１１の機能性を実現させることができる。すなわち、電子機器の複雑なモジュール設計において、両ユニットの立体的な配置設計が可能となり、スピーカユニット１の平面内にカメラユニット２を収納させることができる。したがって、スピーカモジュール１１の機能性を実現させることができる。
【００４４】
（実施の形態４）
以下、実施の形態４を用いて、本発明の特に請求項６に記載の発明について説明する。
【００４５】
図５は、本発明の実施の形態４におけるスピーカモジュールの断面図である。
【００４６】
図５において、実施の形態１と異なる点は、スピーカユニット１が発音体である場合には、カメラユニット２が、スピーカユニット１の発音方向（図５の上方）とは反対側のヨーク５に固定されている点である。この場合、カメラユニット２は、スピーカユニット１の発音方向とは反対方向の被写体を受像することができる。
【００４７】
また、スピーカユニット１が、集音体である場合には、カメラユニット２は、スピーカユニット１の集音方向（図５の上方）とは反対側のフレーム８に固定されている点に特徴がある。この場合は、カメラユニット２は、スピーカユニット１の集音方向とは反対方向の被写体を受像することができる。
【００４８】
この構成により、さらに電子機器の小型化を実現させることができる。すなわち、スピーカユニット１に結合されたフレーム８と、カメラユニット２に結合されたヨーク５とを一体化し、共有化を図ることができる。これにより、さらに電子機器の小型化を実現させることができる。
【００４９】
図６は、本発明の実施の形態４におけるスピーカモジュールの断面図である。
【００５０】
図６において、図５と異なる点は、磁気回路６には上部プレート４が存在しない点である。
【００５１】
この構成により、さらに電子機器の小型化を実現させることができる。すなわち、上部プレート４の厚さ分、薄型化を図ることができる。したがって、さらに薄くなったスピーカモジュール１１を電子機器に搭載することができ、さらに電子機器の小型化に貢献する。
【００５２】
（実施の形態５）
以下、実施の形態５を用いて、本発明の特に請求項７に記載の発明について説明する。
【００５３】
図７は、本発明の実施の形態５におけるスピーカモジュールの断面図である。
【００５４】
図７において、実施の形態２と異なる点は、マグネット３と上部プレート４とヨーク５に貫通孔９を設けた点である。ここで、このカメラユニット２は前記貫通孔９を通して、スピーカユニット１の発音方向、もしくは集音方向とは反対側の受像方向を獲得している。
【００５５】
この構成により、電子機器の小型化を実現させることができる。すなわち、カメラユニット２は、スピーカユニット１の容積内に収まる。この結果として、スピーカモジュール１１の小型化を図ることができ、これを搭載する電子機器の小型化をも実現させることができる。また、前記貫通孔９を通して、スピーカユニット１内に配置されたカメラユニット２は、外部の状態を受像することができる。すなわち、貫通孔９により、スピーカユニット１の内部にカメラユニット２を設けながら、スピーカユニット１の発音方向（若しくは集音方向）とは反対側の受像をすることもできる。
【００５６】
そして、スピーカユニット１の内部にカメラユニット２を設けることは、このカメラユニット２を、スピーカユニット１の外部のフレーム８背面に設けるよりも、電子機器の小型化に対応する。これは、スピーカユニット１の容積内にカメラユニット２が収まるからである。したがって、このスピーカモジュール１１を搭載する電子機器等の小型化を図ることができる。
【００５７】
図８は、本発明の実施の形態５におけるスピーカモジュールの断面図である。
【００５８】
図８において、図７と異なる点は、磁気回路６には上部プレート４が存在しない点である。この構成により、さらに電子機器の小型化を実現させることができる。すなわち、上部プレート４の厚さ分薄くすることができる。したがって、電子機器に、さらに薄くなった本実施の形態のスピーカモジュール１１を搭載することができ、電子機器の小型化を実現できる。
【００５９】
（実施の形態６）
以下、実施の形態６を用いて、本発明の特に請求項８から請求項１１に記載の発明について説明する。
【００６０】
図９、図１０、図１１は、本発明の実施の形態６におけるスピーカモジュールの断面図である。
【００６１】
図９、図１０、図１１において、本発明は、外磁タイプのスピーカユニット１とカメラユニット２を結合してスピーカモジュール１１を形成したものである。このとき、スピーカモジュール１１は、マグネット３と、センターポール５ｂを有する下部プレート５ａと、前記マグネット３の上部に配置した上部プレート４から構成される磁気ギャップ７を有する磁気回路６、および振動板１ｂ、ボイスコイル１０等を有する。そして、駆動部１ａは、この磁気回路６と、前記磁気ギャップ７に配置されるボイスコイル１０とからなる。また、カメラユニット２は、前記下部プレート５ａのセンターポール５ｂに固定されて構成されている。
【００６２】
この場合、カメラユニット２が外部の被写体を受像できるように、図９のものでは、ダストキャップ１２を透明な材料から構成する。また、図１０に示すように下部プレート５ａの背面部に、カメラユニット２を設け、この図１０の下方を写せるようにした。
【００６３】
また、図１１に示すものでは、下部プレート５ａのセンターポール５ｂに貫通孔９を設け、この貫通孔９から下方の受像をさせることができるようにしている。
【００６４】
一般に、図９から図１１に示すような外磁タイプのスピーカは、図１から図８に示すような内磁タイプのものに比べ、大型になることが多い。これは、外磁タイプのものは、マグネット３としてリング状のものを用いる（図９〜図１１）ので、単に円柱状のマグネット３を用いる内磁タイプ（図１〜図８）よりも、小型になればなるほど加工が難しいためである。
【００６５】
しかし、本実施の形態のスピーカモジュール１１によれば、外磁タイプのスピーカを用いた場合であっても、電子機器の小型化を実現させることができる。すなわち、外磁タイプのスピーカユニット１と、受像機能を有するカメラユニット２を結合することによって、両ユニットの間隔をなくし、電子機器等のシステム内搭載部品の相互配置を簡略化できる。したがって、さらに電子機器の小型化を実現させることができる。
【００６６】
（実施の形態７）
以下、実施の形態７を用いて、本発明の特に請求項１２に記載の発明について説明する。
【００６７】
図１２と図１３は、本発明の実施の形態７におけるスピーカモジュールの断面図である。図１２は、外磁タイプのスピーカモジュール１１を、図１３は、内磁タイプのスピーカモジュール１１をそれぞれ示したものである。
【００６８】
図１２において、外磁タイプのスピーカモジュール１１は、複数方向の異なる方向の映像を受像できる第１のカメラユニット２ａと、第２のカメラユニット２ｂとを、それぞれの受像方向が反対方向となるように、表裏一体に配設したカメラユニット２を有している。
【００６９】
一方、図１３において、内磁タイプのスピーカモジュール１１は、第１のカメラユニット２ａを上部プレート４の振動板１ｂ側に、第２のカメラユニット２ｂを振動板１ｂとは反対側のヨーク５に配置し、カメラユニット２ａ、２ｂを具備する構成としている。このとき、振動板１ｂに貫通孔９を設けるか、あるいは請求項４に記載の発明のように、振動板１ｂを透明な材料で構成する。なお、上部プレート４は、小型化や軽量化のために排除してもよい。
【００７０】
この構成により、電子機器の性能を向上させることができる。すなわち、複数個のカメラユニット２ａ、２ｂを具備することができ、複数方向を受像可能方向とすることができ、この結果として、電子機器の性能を向上させることができる。
【００７１】
（実施の形態８）
以下、実施の形態８を用いて、本発明の特に請求項１４から請求項１５に記載の発明について説明する。
【００７２】
図１４は、本発明の実施の形態８におけるスピーカモジュールを搭載して構成した電子機器の断面図である。ここでは、電子機器の一例として、スピーカシステム１５を用いる。
【００７３】
図１４において、スピーカユニット１と、カメラユニット２ａ、２ｂとが一体構成されたスピーカモジュール１１を、スピーカボックス１３に取り付けて、スピーカボックス１３前面側に、スピーカモジュール１１を保護する保護板１４をかぶせたものである。
【００７４】
ここでカメラユニット２ａ、２ｂは、前記実施の形態７で示したような、双方向に受像方向を有するタイプのものである。さらに、スピーカユニット１のダストキャップ１２と、スピーカボックス１３の保護板１４とは、透明な材料により構成され、カメラユニット２ａ、２ｂが外部の被写体を受像できる構成としている。
【００７５】
この構成により、さらに電子機器の機能性を向上させることができる。すなわち、スピーカシステム１５の保護板１４をつけたままで、受像機能を実現させることができる。
【００７６】
このスピーカシステム１５は、家庭内や展示場、ショッピングセンター等の屋内での使用はもとより、例えば、インターホンや交差点等の道路、駅構内等のスピーカ機能とカメラ機能が必要な場所への設置が有効である。
【００７７】
なお、本発明の実施の形態８に記載の電子機器は、図１５に示すような携帯電話であってもよい。
【００７８】
図１５は、本発明の実施の形態８における電子機器の要部断面図である。
【００７９】
図１５において、電子機器の一例として携帯電話１９を示す。携帯電話１９は、スピーカユニット１と、カメラユニット２ａ、２ｂとが一体構成されたスピーカモジュール１１を搭載している。
【００８０】
ここで、携帯電話１９は、スピーカモジュール１１と、このスピーカモジュール１１に対応する制御回路１６と、液晶等を用いた表示モジュール１７と、その他の各種モジュール等とを、外装ケース１８の内部に搭載している。また、このスピーカモジュール１１は、前記実施の形態１１に記載したような、双方向に受像方向を有するタイプのカメラユニット２ａ、２ｂを具備する。そして、外装ケース１８のカメラユニット２ａ、２ｂの受像方向に対応する部分は、貫通孔を有するか、あるいは透明な材料により構成され、カメラユニット２ａ、２ｂが外部の被写体を受像できる構成としている。
【００８１】
この構成により、携帯電話１９の小型化が実現できる。すなわち、スピーカユニット１と、受像機能を有するカメラユニット２とを結合することによって、両ユニットの間隔をなくし、部品点数を少なくして、携帯電話等の電子機器のシステム内搭載部品の相互配置を簡略化できる。したがって、さらに携帯電話１９の小型化を実現させることができる。
【産業上の利用可能性】
【００８２】
本発明のスピーカモジュールの効果は、さらなる電子機器の小型化を実現できる優れたスピーカモジュールを提供できるという効果を有し、各種電子機器に使用されるスピーカモジュールとして有用である。すなわち、発音機能若しくは集音機能を有するスピーカユニットと、受像機能を有するカメラユニットを結合することによって、両ユニットの間隔をなくし、電子機器等のシステム内搭載部品の相互配置を簡略化できる。したがって、さらに電子機器の小型化を実現できるスピーカモジュールを提供することができる。
【図面の簡単な説明】
【００８３】
【図１】本発明の実施の形態１におけるスピーカモジュールの断面図
【図２】本発明の実施の形態２におけるスピーカモジュールの断面図
【図３】本発明の実施の形態２におけるスピーカモジュールの断面図
【図４】本発明の実施の形態３におけるスピーカモジュールの断面図
【図５】本発明の実施の形態４におけるスピーカモジュールの断面図
【図６】本発明の実施の形態４におけるスピーカモジュールの断面図
【図７】本発明の実施の形態５におけるスピーカモジュールの断面図
【図８】本発明の実施の形態５におけるスピーカモジュールの断面図
【図９】本発明の実施の形態６におけるスピーカモジュールの断面図
【図１０】本発明の実施の形態６におけるスピーカモジュールの断面図
【図１１】本発明の実施の形態６におけるスピーカモジュールの断面図
【図１２】本発明の実施の形態７におけるスピーカモジュールの断面図
【図１３】本発明の実施の形態７におけるスピーカモジュールの断面図
【図１４】本発明の実施の形態８におけるスピーカモジュールを搭載して構成したスピーカシステムの断面図
【図１５】本発明の実施の形態８における電子機器の要部断面図
【図１６】従来のスピーカモジュールを用いた電子機器の断面図
【符号の説明】
【００８４】
１  スピーカユニット
１ａ  駆動部
１ｂ  振動板
２  カメラユニット
２ａ  第１のカメラユニット
２ｂ  第２のカメラユニット
３  マグネット
４  上部プレート
５  ヨーク
５ａ  下部プレート
５ｂ  センターポール
６  磁気回路
７  磁気ギャップ
８  フレーム
９  貫通孔
１０  ボイスコイル
１１  スピーカモジュール
１２  ダストキャップ
１３  スピーカボックス
１４  保護板
１５  スピーカシステム
１６  制御回路
１６ａ  第１の制御回路
１６ｂ  第２の制御回路
１７  表示モジュール
１８  外装ケース
１９  携帯電話
【図１】
2005151102.tif 000003
【図２】
2005151102.tif 000004
【図３】
2005151102.tif 000005
【図４】
2005151102.tif 000006
【図５】
2005151102.tif 000007
【図６】
2005151102.tif 000008
【図７】
2005151102.tif 000009
【図８】
2005151102.tif 000010
【図９】
2005151102.tif 000011
【図１０】
2005151102.tif 000012
【図１１】
2005151102.tif 000013
【図１２】
2005151102.tif 000014
【図１３】
2005151102.tif 000015
【図１４】
2005151102.tif 000016
【図１５】
2005151102.tif 000017
【図１６】
2005151102.tif 000018